(57)【特許請求の範囲】
【請求項１】
コンクリート基礎の上端部にアンカーボルトの下部が埋設固定されて、前記アンカーボルトが前記コンクリート基礎の上面から突出させられたアンカーボルトを備えた基礎構造において、
前記アンカーボルトを貫通させる補強プレートは、前記アンカーボルトが貫通し且つ前記コンクリート基礎の上部に埋設される水平板部と、前記水平板部に下方に向けて突設され且つ前記アンカーボルトに外力が作用する方向と反対側の側面に埋設係合する側板部とを有することを特徴とするアンカーボルト付基礎構造。
【請求項２】
前記側板部は、前記水平板部よりも厚肉に形成されていることを特徴とする請求項１に記載のアンカーボルト付基礎構造。
【請求項３】
対向する型枠間の上部にアンカープレートを保持させると共に、前記アンカープレートに上下に延びるアンカーボルトを保持させた状態で、前記型枠間に生コンクリートを前記アンカーボルトの下部が没入するまで流し込んだ後、前記生コンクリートを硬化させて前記型枠を取り外すことによりアンカーボルト付基礎構造の施工方法において、
前記アンカーボルトが貫通し且つ前記コンクリート基礎の上部に埋設される水平板部と、前記水平板部に下方に向けて突設され且つ前記アンカーボルトに外力が作用する方向と反対側の側面に埋設される側板部とを有する補強プレートを、前記アンカープレートの下方に位置させて前記アンカーボルトの中間部に保持させると共に、前記生コンクリートを前記補強プレートの部分まで満たして硬化させることを特徴とするアンカーボルト付基礎構造の施工方法。
【請求項４】
前記水平板部にコンクリート確認穴を設けておいて、前記生コンクリートを前記水平板部の部分まで満たしたときに前記生コンクリートがコンクリート確認穴から溢れる位置で前記生コンクリートの流し込みを停止することを特徴とする請求項３に記載のアンカーボルト付基礎構造の施工方法。
【発明の詳細な説明】
【０００１】
【発明の属する技術分野】
この発明は、住宅等の建物のコンクリート基礎の上面にアンカーボルトが突設されたアンカーボルト付基礎構造及びその施工方法に関するものである。
【０００２】
【従来の技術】
この種のアンカーボルト付基礎構造を施工する場合、例えば、まず図８に示したように、地面１に建物に沿わせる基礎溝２を形成し、基礎溝２の底部に割栗を投入して搗固て割栗層３を形成した後、割栗層３上にコンクリートを打って割栗層３上にフーチング層４を設けた後、このフーチング層４上に対向する型枠５，５を配設して、型枠５，５を支持部材６，６で支持させる。次に、型枠５，５の上端にアンカープレート７の両端部を保持させ、アンカープレート７に上下に延びるアンカーボルト８を保持させたる。この状態で、型枠５，５間に生コンクリート９をアンカーボルト８の下部が没入するまで流し込んだ後、生コンクリート９を硬化させて型枠５，５を取り外し、土盛りすることにより、図９に示したようにコンクリート１０にアンカーボルト８が植立固定された基礎構造の施工が完了する（実公昭５６−２８２７５号公報参照）。
【０００３】
【発明が解決しようとする課題】
ところで、この様な基礎構造においては、アンカーボルト８に矢印Ａ方向から外力が作用した場合、アンカーボルト８からコンクリート基礎に直接外力が入力されるため、アンカーボルト８の部分においてコンクリート基礎１０に一点鎖線１１で示した方向への剪断力が作用し、図１０に示したように角部１０ａが破壊される虞があった。
【０００４】
このため、この様な破壊が生ずるのを防止するために、コンクリート強度を高くしたり、コンクリート基礎１０の厚さを厚くしたり、或いは鉄筋で補強したりする必要がある。
【０００５】
しかし、この様にすると、コンクリート基礎１０の施工にかかるコストが高くなる。また、コンクリート基礎１０の強度を高くするには生コンクリートの水分を少なくすれば良いが、水分を少なくすると生コンクリートの流動性が低下し、又、鉄筋で補強したりすればこの部分のコンクリートの流動性も低下するので、コンクリートの充填不良が生じやすく、かぶり（鉄筋に対するコンクリートの被覆厚さ）を確保するのが困難である。
【０００６】
そこで、この発明は、アンカーボルトに水平方向の外力が作用しても、この外力によりコンクリート基礎のアンカーボルトに対応する角部が破壊されるのを未然に防止できるアンカーボルト付基礎構造及びその施工方法を提供することを目的とするものである。
【０００７】
【課題を解決するための手段】
この目的を達成するため、請求項１の発明のアンカーボルト付基礎構造は、コンクリート基礎の上端部にアンカーボルトの下部が埋設固定されて、前記アンカーボルトが前記コンクリート基礎の上面から突出させられたアンカーボルトを備えた基礎構造において、前記アンカーボルトを貫通させる補強プレートは、前記アンカーボルトが貫通し且つ前記コンクリート基礎の上部に埋設される水平板部と、前記水平板部に下方に向けて突設され且つ前記アンカーボルトに外力が作用する方向と反対側の側面に埋設係合する側板部とを有することを特徴とする。この構成によれば、アンカーボルトに水平方向の外力が作用しても、この外力がアンカーボルトの部分からコンクリート基礎に直接入力されずに補強プレートを介して分散して入力されることになる。これにより、コンクリート基礎のアンカーボルトに対応する角部が破壊されるのを未然に防止できる。
【０００８】
また、アンカーボルトに作用する外力はアンカーボルトからコンクリート基礎に直接入力されずに外力が作用する方向とは反対側の側板部で受けられる。この結果、アンカーボルトに大きな外力が入力されても、この入力によりコンクリート基礎のアンカーボルトに対応する角部が破壊されるようなことは回避される。
さらに、請求項２の発明のアンカーボルト付基礎構造は、前記側板部が前記水平板部よりも厚肉に形成されていることを特徴とする。
【０００９】
更に、請求項３の発明のアンカーボルト付基礎構造の施工方法は、対向する型枠間の上部にアンカープレートを保持させると共に、前記アンカープレートに上下に延びるアンカーボルトを保持させた状態で、前記型枠間に生コンクリートを前記アンカーボルトの下部が没入するまで流し込んだ後、前記生コンクリートを硬化させて前記型枠を取り外すことによりアンカーボルト付基礎構造の施工方法において、前記アンカーボルトが貫通し且つ前記コンクリート基礎の上部に埋設される水平板部と、前記水平板部に下方に向けて突設され且つ前記アンカーボルトに外力が作用する方向と反対側の側面に埋設される側板部とを有する補強プレートを、前記アンカープレートの下方に位置させて前記アンカーボルトの中間部に保持させると共に、前記生コンクリートを前記補強プレートの部分まで満たして硬化させる様にしたので、簡易に補強プレートをコンクリート基礎の上端部に埋設できる。
【００１０】
また、請求項４のアンカーボルト付基礎構造を施工する方法は、請求項３において、前記水平板部にコンクリート確認穴を設けておいて、前記生コンクリートを前記水平板部の部分まで満たしたときに前記生コンクリートがコンクリート確認穴から溢れる位置で前記生コンクリートの流し込みを停止する様にしたので、水平板部を目安に生コンクリートの流し込み高さを容易に確認できる。
【００１１】
【発明の実施の形態１】
以下、この発明の実施の形態を図１〜図７に基づいて説明する。
【００１２】
図１（ａ）にいて、地面２０には建物に沿わせる基礎溝２１が形成され、基礎溝２１の底部に割栗を投入して搗固た割栗層２２が形成されている。この割栗層２２上にはコンクリートを打って形成したフーチング層２３が形成され、このフーチング層２３上にはコンクリート基礎２４が形成されている。このコンクリート基礎２４の上端部にはアンカーボルト２５の下部が埋設固定されて、アンカーボルト２５の上端部がコンクリート基礎２４の上面から突出させられている。このアンカーボルト２５は、図１（ａ），（ｂ）中、コンクリート基礎２４の幅方向中央から左側にずらして配置されているので、左側の角部２４ａがアンカーボルト２５に外力が矢印Ｂ方向から作用したとき、アンカーボルト２５からコンクリート基礎２４に外力が直接入力された場合には、アンカーボルト２５から受ける外力で角部２４ａが破壊されやすい傾向にある。
【００１３】
しかし、コンクリート基礎２４の上端部には、図１に示したように、アンカーボルト２５に対応して補強プレート２６が埋設固定されている。この補強プレート２６は、コンクリート基礎２４の上端部に埋設された水平板部２６ａと、水平板部２６ａの一端に下方に向けて突設された厚肉の側板部２６ｂを有する（図２，図３参照）。そして、側板部２６ｂは、アンカーボルトに矢印Ｂでしめした外力が作用する方向と反対側の側面において、コンクリート基礎２４の上端部の側部に埋設係合している。この水平板部２６ａの上面はコンクリート基礎２４の上面と面一に形成され、側板部２６ｂの外側面はコンクリート基礎２４の側面と面一に形成されている。この側板部２６ｂは、コンクリート基礎２４の内側に位置する。尚、この補強プレート２６には金属プレートを用いることができるが、この場合にはコンクリート等に含まれる成分と化学反応をしない材質のものがもちいられる。また、この補強プレート２６には金属以外の合成樹脂材料やその他の材料を用いることもできる。要は、アンカーボルトＢに作用する外力がアンカーボルト２４からコンクリート基礎２４に直接入力されて局部的に作用せず、この外力が分散されてコンクリート基礎２４に入力されたコンクリート基礎２４の部分的破損を防止できれば良い。
【００１４】
また、水平板部２６ａには、ネジ穴２７と確認穴２８が形成されている。そして、ネジ穴２７にはアンカーボルト２５のネジ部２５ａが螺着されていると共に上方に貫通している。
【００１５】
次に、この様な構造の基礎構造の作用を説明する。
【００１６】
このような構造において、アンカーボルト２５に水平方向の外力が矢印Ｂ方向から作用すると、この外力がアンカーボルト２５の部分からコンクリート基礎２４に直接入力されずに補強プレート２６を介して分散して入力されることになる。この際、アンカーボルト２５に作用する外力は、外力が作用する方向とは反対側の側板部２６ｂを介してコンクリート基礎２５に入力される。この結果、アンカーボルト２５に大きな外力が矢印Ｂ方向から入力されても、この入力によりコンクリート基礎２４のアンカーボルト２５に対応する角部２４ａが破壊されるようなことは回避される。この様に、コンクリート基礎２４のアンカーボルト２５に対応する角部２４ａが破壊されるのを未然に防止できる。
【００１７】
【発明の実施の形態２】
次に、この様な基礎構造の施工方法を説明する。
【００１８】
まず、地面２０に建物に沿わせる基礎溝２１を形成し、基礎溝２１の底部に割栗を投入して搗固て割栗層２２を形成し、割栗層２２上にコンクリートを打ってたフーチング層２３を形成する。次に、このフーチング層２３上に型枠２９，２９を対向させると共に間隔を置いて配設し、この型枠２９，２９を図示しない支持部材で地面２０に支持させる。
【００１９】
一方、アンカーボルト２５のネジ部２５ａをネジ穴２７に螺合して、ネジ部２５ａを水平板部２６ａから図５に示したように上方に突出させることにより、アンカーボルト２５に補強プレート２６を保持させ（取り付け）る。そして、図６に示したように、このネジ部２５ａに固定ナット３０を螺着した後、ネジ部２５ａをアンカープレート３１の図示しない挿通孔に挿通し、固定ナット３２を更にネジ部２５ａに螺着することにより、固定ナット３０，３２間にアンカープレート３１を保持させる。この様にしてアンカーボルト２４及び補強プレート２６が保持されたアンカープレート３１を用意する。
【００２０】
次に、このアンカープレート３１に保持させたアンカーボルト２４及び補強プレート２６を図４に示したように型枠２９，２９間に挿入配設すると共に、アンカープレート３１の両端部を型枠２９，２９の上端部に図示しないボルトで固定する。この際、補強プレート２６の側板部２６ｂが型枠２９，２９の一方に内接する。この状態で固定ナット３０，３２を緩めて、固定ナット３０の上下位置を調整すると共に、アンカーボルト２５を回転操作して、補強プレート２６の高さを調節した後、固定ナット３０，３２で補強プレートを締め付け固定する。
【００２１】
この後、型枠２９，２９間に生コンクリート３３を図７に示したように流し込む。この際、生コンクリート３３はアンカーボルト２５の下部が没入するまで流し込むと共に、生コンクリート３３を補強プレート２６の部分まで満たす。しかも、このときに生コンクリート３３がコンクリート確認穴２８から上方に溢れ出始めたのを確認して、この位置で生コンクリートの流し込みを停止する。この様にすることで、補強プレート２６を目安に生コンクリート３３の流し込み高さを容易に確認できる。
【００２２】
そして、この生コンクリート３３を硬化した後、型枠２９，２９を取り外して形成したコンクリート基礎２４の周囲に土盛りすることで、コンクリート基礎２４にアンカーボルト２５及び補強プレート２６が取り付けられた基礎構造の施工が完了し、図１に示したような基礎構造が得られる。
【００２３】
【発明の効果】
本発明のアンカーボルト付基礎構造は、コンクリート基礎の上端部にアンカーボルトの下部が埋設固定されて、前記アンカーボルトが前記コンクリート基礎の上面から突出させられたアンカーボルトを備えた基礎構造において、前記アンカーボルトを貫通させた補強プレートが前記コンクリート基礎の上部に埋設固定されていることを特徴とする。この構成によれば、アンカーボルトに水平方向の外力が作用しても、この外力がアンカーボルトの部分からコンクリート基礎に直接入力されずに補強プレートを介して分散して入力されることになる。これにより、コンクリート基礎のアンカーボルトに対応する角部が破壊されるのを未然に防止できる。
【００２４】
また、本発明のアンカーボルト付基礎構造は、前記補強プレートは、前記アンカーボルトが貫通し且つ前記コンクリート基礎の上部に埋設された水平板部と、前記水平板部に下方に向けて突設され且つ前記アンカーボルトに外力が作用する方向と反対側の側面に埋設係合する側板部を有する構成としたので、アンカーボルトに作用する外力はアンカーボルトからコンクリート基礎に直接入力されずに外力が作用する方向とは反対側の側板部で受けられる。この結果、アンカーボルトに大きな外力が入力されても、この入力によりコンクリート基礎のアンカーボルトに対応する角部が破壊されるようなことは回避される。
【００２５】
更に、本発明のアンカーボルト付基礎構造の施工方法は、対向する型枠間の上部にアンカープレートを保持させると共に、前記アンカープレートに上下に延びるアンカーボルトを保持させた状態で、前記型枠間に生コンクリートを前記アンカーボルトの下部が没入するまで流し込んだ後、前記生コンクリートを硬化させて前記型枠を取り外すことによりアンカーボルト付基礎構造を施工する方法において、前記アンカープレートの下方に位置させた補強プレートを前記アンカーボルトの中間部に保持させると共に、前記生コンクリートを前記補強プレートの部分まで満たして硬化させる様にしたので、簡易に補強プレートをコンクリート基礎の上端部に埋設できる。
【００２６】
また、本発明のアンカーボルト付基礎構造を施工する方法は、前記補強プレートにコンクリート確認穴を設けておいて、前記生コンクリートを前記補強プレートの部分まで満たしたときに前記生コンクリートがコンクリート確認穴から溢れる位置で前記生コンクリートの流し込みを停止する様にしたので、補強プレートを目安に生コンクリートの流し込み高さを容易に確認できる。
【図面の簡単な説明】
【図１】（ａ）はこの発明にかかるアンカーボルト付基礎構造の断面図、（ｂ）は（ａ）のコンクリート基礎の斜視図である。
【図２】図１（ａ），（ｂ）に示した補強プレートの平面図である。
【図３】図１（ａ），（ｂ）に示した補強プレートの側面図である。
【図４】この発明にかかるアンカーボルト付補強プレートを型枠に組み付けた断面図である。
【図５】図４のアンカーボルトと補強プレートとの関係を示す側面図である。
【図６】図５のアンカーボルトにアンカープレートを取り付けた側面図である。
【図７】図４の型枠間に生コンクリートを流した状態の断面図である。
【図８】従来のアンカーボルト付基礎構造の施工方法の断面図である。
【図９】図８の型枠を取り外して土盛りをした断面図である。
【図１０】図８のコンクリート基礎の作用説明のための断面図である。
【符号の説明】
２４・・・コンクリート基礎
２５・・・アンカーボルト
２６・・・補強プレート
２６ａ・・・水平板部
２６ｂ・・・側板部
２８・・・コンクリート確認穴
２９・・・型枠
【図１】
0003713192.tif 000002
【図２】
0003713192.tif 000003
【図３】
0003713192.tif 000004
【図４】
0003713192.tif 000005
【図５】
0003713192.tif 000006
【図６】
0003713192.tif 000007
【図７】
0003713192.tif 000008
【図８】
0003713192.tif 000009
【図９】
0003713192.tif 000010
【図１０】
0003713192.tif 000011